(57)【特許請求の範囲】
【請求項１】
入金された紙幣を取り込んで紙幣収納庫に収納し、出金指示によって前記紙幣収納庫から収納紙幣を払い出す貨幣処理装置であって、
装置前面に設けられ、投入紙幣を受け入れる第１紙幣投入口と、
装置の裏面側に設けられ、投入紙幣を受け入れる第２紙幣投入口と、
装置前面に設けられ、前記紙幣収納庫に収納された収納紙幣を払い出す紙幣出金口と、
少なくとも前記第１紙幣投入口から投入された紙幣を鑑別する第１紙幣鑑別センサと、
少なくとも前記第２紙幣投入口から投入された紙幣を鑑別する第２紙幣鑑別センサと、
を備え、
前記第１紙幣投入口から投入され前記第１紙幣鑑別センサによって入金可能な紙幣であると鑑別された紙幣または前記第２紙幣投入口から投入され前記第２紙幣鑑別センサによって入金可能な紙幣であると鑑別された紙幣を前記紙幣収納庫に収納し、前記出金指示があった場合、前記紙幣収納庫に収納され出金可能な収納紙幣を前記紙幣出金口のみから払い出すことを特徴とする貨幣処理装置。
【請求項２】
前記紙幣収納庫内の紙幣であって回収すべき紙幣または前記第２紙幣投入口から投入され前記第２紙幣鑑別センサによって入金可能な紙幣であると鑑別された紙幣の収納が可能な紙幣回収庫と、
搬送される紙幣の中から、前記紙幣収納庫内の紙幣であって回収すべき紙幣を前記紙幣回収庫側への搬送に切り替えるとともに、前記第２紙幣投入口から投入され前記第２紙幣鑑別センサによって入金可能な紙幣であると鑑別された紙幣を前記紙幣収納庫に替えて前記紙幣回収庫側への搬送に切り換える切換ゲートと、
を備えたことを特徴とする請求項１に記載の貨幣処理装置。
【請求項３】
前記紙幣回収庫は、装置本体から着脱可能であることを特徴とする請求項２に記載の貨幣処理装置。
【請求項４】
前記紙幣回収庫は、
前記紙幣収納庫内の紙幣であって回収すべき紙幣と前記第２紙幣投入口から投入され前記第２紙幣鑑別センサによって入金可能な紙幣であると鑑別された紙幣との収納領域を区切る仕切り機構を備え、
前記仕切り機構によって、前記紙幣収納庫内の紙幣であって回収すべき紙幣と前記第２紙幣投入口から投入され前記第２紙幣鑑別センサによって入金可能な紙幣であると鑑別された紙幣とを異なる収納領域に収納することを特徴とする請求項２または３に記載の貨幣処理装置。
【請求項５】
顧客側に向いた操作表示部を備え、
前記第２紙幣投入口での入金に関する情報を前記操作表示部に表示することを特徴とする請求項１〜４のいずれか一つに記載の貨幣処理装置。
【請求項６】
前記第１紙幣投入口からの入金処理と前記第２紙幣投入口からの入金処理とを排他的に処理する制御部を備えたことを特徴とする請求項１〜５のいずれか一つに記載の貨幣処理装置。
【請求項７】
前記第１紙幣投入口からの入金を阻止する第１シャッタ機構と、
前記第２紙幣投入口からの入金を阻止する第２シャッタ機構と、
を備え、
前記制御部は、前記第１シャッタ機構及び前記第２シャッタ機構を制御して、前記第１紙幣投入口からの入金処理と前記第２紙幣投入口からの入金処理とを排他的に処理することを特徴とする請求項６に記載の貨幣処理装置。
【請求項８】
前記制御部は、前記第１紙幣投入口からの入金処理を前記第２紙幣投入口からの入金処理に対して優先して処理することを特徴とする請求項６または７に記載の貨幣処理装置。
【請求項９】
前記第２紙幣投入口からの入金の許可を指示する操作部を備え、
前記制御部は、前記操作部を介して、前記第２紙幣投入口に対する入金の許可の指示があった場合、前記第２紙幣投入口からの入金の処理を行うことを特徴とする請求項６〜８のいずれか一つに記載の貨幣処理装置。
【請求項１０】
前記紙幣収納庫に収納させた紙幣を循環させる循環経路と、
前記第１紙幣投入口から、前記循環経路上における前記紙幣収納庫の上流に設けられた紙幣受入口に接続される第１入金経路と、
前記第２紙幣投入口から、前記循環経路上における前記紙幣収納庫の下流に設けられた紙幣払出口に接続される第２入金経路と、
前記紙幣払出口と前記紙幣受入口との間の出金切換口に接続され、前記紙幣払出口から搬送された紙幣を前記出金切換口から前記紙幣出金口に接続する出金経路と、
を備え、
前記第２紙幣鑑別センサは、前記紙幣払出口と前記出金切換口との間に配置され、前記第２紙幣投入口から投入された紙幣を鑑別するとともに、前記循環経路を循環する紙幣及び前記紙幣出金口から出金する紙幣を鑑別することを特徴とする請求項１〜９のいずれか一つに記載の貨幣処理装置。
【請求項１１】
入金された紙幣を取り込んで紙幣収納庫に収納し、出金指示によって前記紙幣収納庫から収納紙幣を払い出す貨幣処理装置の入金制御方法であって、
装置前面に設けられ、投入紙幣を受け入れる第１紙幣投入口から投入された紙幣を、該第１紙幣投入口の下流に設けられた第１紙幣識別センサで鑑別し、第１紙幣鑑別センサによって入金可能な紙幣であると鑑別された紙幣を前記紙幣収納庫に収納し、
装置の裏面側に設けられ、投入紙幣を受け入れる第２紙幣投入口から投入された紙幣を、該第２の紙幣投入口の下流に設けられた第２紙幣鑑別センサで鑑別し、第２紙幣鑑別センサによって入金可能な紙幣であると鑑別された紙幣を前記紙幣収納庫に収納し、
前記出金指示があっ場合、装置前面に設けられ、前記紙幣収納庫に収納された収納紙幣を払い出す紙幣出金口のみから前記収納紙幣を払い出すことを特徴とする貨幣処理装置の入金制御方法。
【請求項１２】
搬送される紙幣の中から、前記紙幣収納庫内の紙幣であって回収すべき紙幣を装置本体から着脱可能な紙幣回収庫に収納するとともに、前記第２紙幣投入口から投入され前記第２紙幣鑑別センサによって入金可能な紙幣であると鑑別された紙幣を、前記紙幣収納庫に替えて前記紙幣回収庫に収納することを特徴とする請求項１１に記載の貨幣処理装置の入金制御方法。
【請求項１３】
前記紙幣収納庫内の紙幣であって回収すべき紙幣と前記第２紙幣投入口から投入され前記第２紙幣鑑別センサによって入金可能な紙幣であると鑑別された紙幣とを前記紙幣回収庫内の異なる収納領域に収納することを特徴とする請求項１２に記載の貨幣処理装置の入金制御方法。
【発明の詳細な説明】
【技術分野】
【０００１】
本発明は、入金された紙幣を取り込んで紙幣収納庫に収納し、入出金指示によって前記紙幣収納庫から収納紙幣を払い出す貨幣処理装置及び貨幣処理装置の入金制御方法であって、簡易な構成で、買上げ精算時の現金過不足を削減しつつ、顧客との取引処理時間を短くすることができる貨幣処理装置及び貨幣処理装置の入金制御方法に関する。
【背景技術】
【０００２】
昨今のスーパーマーケットやコンビニエンスストア等の店舗には、客さばきや現金管理の厳正化のため、自動釣銭機として貨幣処理機が設置されている。この貨幣処理機は、通常、ＰＯＳレジスタ（Ｐｏｉｎｔ  Ｏｆ  Ｓａｌｅｓ）装置等の上位装置に接続されており、上位装置からの指令に応じて硬貨や紙幣等の金銭の入出金処理を行うものである。
【０００３】
ここで、ＰＯＳレジスタ装置と貨幣処理機とからなるレジスタシステムの取引処理には、入金先行処理と釣銭先行処理とがある。入金先行処理では、購入額が確定すると、顧客から預り金を受け取って貨幣処理機に投入し、自動計数した額と購入額との差を釣銭として払い出す処理を行う。一方、釣銭先行処理では、購入額が確定すると、顧客から預り金を受け取って、この預り金の金額をレジ担当者が打刻し、この打刻した預り金の金額と購入額との差を釣銭として払い出して顧客に釣銭を手渡し、その後、預り金を貨幣処理機に投入し、預り金を自動計数する。
【０００４】
入金先行処理では、預り金を貨幣処理機が自動計数した額と購入額との差を釣銭として払い出すようにしているので、通常の買上げ取引精算に用いれば、預り金の計算を間違いなく行うことができる。
【０００５】
なお、特許文献１には、循環経路を用いて紙幣収納庫に収納された紙幣の在高管理をするものが記載されている。
【０００６】
また、特許文献２には、顧客からの貨幣の投入を受け付ける貨幣投入口と、釣銭額に相当する貨幣を顧客に払い出す貨幣払出口とを備えたレジスタが記載されている。これによって、店員は貨幣に触れることなく、顧客が商品の支払いを行うことができる。
【０００７】
さらに、特許文献３には、貨幣投入口がレジ担当者の前面に有するレジスタを台座に対して回転できるようにし、顧客が支払い処理を行う場合、貨幣投入口が顧客側に向くようにレジスタを回転するものが記載されている。
【先行技術文献】
【特許文献】
【０００８】
【特許文献１】特許第３７８０７２３号公報
【特許文献２】特開２００２−１０９６３３号公報
【特許文献３】特開２０１０−２０３７０号公報
【発明の概要】
【発明が解決しようとする課題】
【０００９】
ところで、コンビニエンスストアのような業務形態では、通常の買上げ取引以外に、公共料金の代行収納といった現金を取り扱う業務がある。この業務の場合、取り扱う金額が大きくなりがちなため、顧客自身も複数枚の高額紙幣（例えば、１万円紙幣）を１枚ずつ数え、また、受け取ったレジ担当者も、再度１枚ずつ数え直す金額計算を行い、その後、ＰＯＳレジスタ装置の金額入力操作及びドロアへの収納を行っている。
【００１０】
すなわち、従来の紙幣処理装置は、公共料金の代行収納などの高額紙幣を取り扱う場合、顧客及びレジ担当者の双方に多大な手間とストレスがかかるという問題があった。なお、特許文献３では、レジスタを回転させることによって、レジ担当者側の貨幣投入口を顧客側に向けて操作できるようにしているが、顧客の支払いの都度、レジスタの貨幣投入口を顧客側に向けるのは操作が煩わしく、かつ、装置構成が複雑かつ大型化する。
【００１１】
本発明は、上記に鑑みてなされたものであって、簡易な構成で、買上げ精算時の現金過不足を削減しつつ、顧客との取引処理時間を短くすることができる貨幣処理装置及び貨幣処理装置の入金制御方法を提供することを目的とする。
【課題を解決するための手段】
【００１２】
上述した課題を解決し、目的を達成するために、本発明にかかる貨幣処理装置は、入金された紙幣を取り込んで紙幣収納庫に収納し、入出金指示によって前記紙幣収納庫から収納紙幣を払い出す貨幣処理装置であって、装置前面に設けられ、投入紙幣を受け入れる第１紙幣投入口と、装置の裏面側に設けられ、投入紙幣を受け入れる第２紙幣投入口と、少なくとも前記第１紙幣投入口から投入された紙幣を鑑別する第１紙幣鑑別センサと、少なくとも前記第２紙幣投入口から投入された紙幣を鑑別する第２紙幣鑑別センサと、を備え、前記第１紙幣投入口から投入され前記第１紙幣鑑別センサによって入金可能な紙幣であると鑑別された紙幣または前記第２紙幣投入口から投入され前記第２紙幣鑑別センサによって入金可能な紙幣であると鑑別された紙幣を前記紙幣収納庫に収納することを特徴とする。
【００１３】
また、本発明にかかる貨幣処理装置は、上記の発明において、前記紙幣収納庫内の紙幣であって回収すべき紙幣または前記第２紙幣投入口から投入され前記第２紙幣鑑別センサによって入金可能な紙幣であると鑑別された紙幣を収納する紙幣回収庫と、搬送される紙幣の中から、前記紙幣収納庫内の紙幣であって回収すべき紙幣及び前記第２紙幣投入口から投入され前記第２紙幣鑑別センサによって入金可能な紙幣であると鑑別された紙幣を前記紙幣回収庫側への搬送に切り換える切換ゲートと、を備えたことを特徴とする。
【００１４】
また、本発明にかかる貨幣処理装置は、上記の発明において、前記紙幣回収庫は、装置本体から着脱可能であることを特徴とする。
【００１５】
また、本発明にかかる貨幣処理装置は、上記の発明において、前記紙幣回収庫は、前記紙幣収納庫内の紙幣であって回収すべき紙幣と前記第２紙幣投入口から投入され前記第２紙幣鑑別センサによって入金可能な紙幣であると鑑別された紙幣との収納領域を区切る仕切り機構を備え、前記仕切り機構によって、前記紙幣収納庫内の紙幣であって回収すべき紙幣と前記第２紙幣投入口から投入され前記第２紙幣鑑別センサによって入金可能な紙幣であると鑑別された紙幣とを異なる収納領域に収納することを特徴とする。
【００１６】
また、本発明にかかる貨幣処理装置は、上記の発明において、顧客側に向いた操作表示部を備え、前記第２紙幣投入口での入金に関する情報を前記操作表示部に表示することを特徴とする。
【００１７】
また、本発明にかかる貨幣処理装置は、上記の発明において、前記第１紙幣投入口からの入金処理と前記第２紙幣投入口からの入金処理とを排他的に処理する制御部を備えたことを特徴とする。
【００１８】
また、本発明にかかる貨幣処理装置は、上記の発明において、前記第１紙幣投入口からの入金を阻止する第１シャッタ機構と、前記第２紙幣投入口からの入金を阻止する第２シャッタ機構と、を備え、前記制御部は、前記第１シャッタ機構及び前記第２シャッタ機構を制御して、前記第１紙幣投入口からの入金処理と前記第２紙幣投入口からの入金処理とを排他的に処理することを特徴とする。
【００１９】
また、本発明にかかる貨幣処理装置は、上記の発明において、前記制御部は、前記第１紙幣投入口からの入金処理を前記第２紙幣投入口からの入金処理に対して優先して処理することを特徴とする。
【００２０】
また、本発明にかかる貨幣処理装置は、上記の発明において、前記第２紙幣投入口からの入金の許可を指示する操作部を備え、前記制御部は、前記操作部を介して、前記第２紙幣投入口に対する入金の許可の指示があった場合、前記第２紙幣投入口からの入金の処理を行うことを特徴とする。
【００２１】
また、本発明にかかる貨幣処理装置は、上記の発明において、前記紙幣収納庫に収納させた紙幣を循環させる循環経路と、前記第１紙幣投入口から、前記循環経路上における前記紙幣収納庫の上流に設けられた紙幣受入口に接続される第１入金経路と、前記第２紙幣投入口から、前記循環経路上における前記紙幣収納庫の下流に設けられた紙幣払出口に接続される第２入金経路と、前記紙幣払出口と前記紙幣受入口との間の出金切換口に接続され、前記紙幣払出口から搬送された紙幣を前記出金切換口から紙幣出金口に接続する出金経路と、を備え、前記第２紙幣鑑別センサは、前記紙幣払出口と前記出金切換口との間に配置され、前記第２紙幣投入口から投入された紙幣を鑑別するとともに、前記循環経路を循環する紙幣及び前記紙幣出金口から出金する紙幣を鑑別することを特徴とする。
【００２２】
また、本発明にかかる貨幣処理装置の入金制御方法は、入金された紙幣を取り込んで紙幣収納庫に収納し、入出金指示によって前記紙幣収納庫から収納紙幣を払い出す貨幣処理装置の入金制御方法であって、装置前面に設けられ、投入紙幣を受け入れる第１紙幣投入口から投入された紙幣を、該第１紙幣投入口の下流に設けられた第１紙幣識別センサで鑑別し、第１紙幣鑑別センサによって入金可能な紙幣であると鑑別された紙幣を前記紙幣収納庫に収納し、装置裏面に設けられ、投入紙幣を受け入れる第２紙幣投入口から投入された紙幣を、該第２の紙幣投入口の下流に設けられた第２紙幣鑑別センサで鑑別し、第２紙幣鑑別センサによって入金可能な紙幣であると鑑別された紙幣を前記紙幣収納庫に収納することを特徴とする。
【００２３】
また、本発明にかかる貨幣処理装置の入金制御方法は、上記の発明において、搬送される紙幣の中から、前記紙幣収納庫内の紙幣であって回収すべき紙幣及び前記第２紙幣投入口から投入され前記第２紙幣鑑別センサによって入金可能な紙幣であると鑑別された紙幣を、装置本体から着脱可能な紙幣回収庫に収納することを特徴とする。
【００２４】
また、本発明にかかる貨幣処理装置の入金制御方法は、上記の発明において、前記紙幣収納庫内の紙幣であって回収すべき紙幣と前記第２紙幣投入口から投入され前記第２紙幣鑑別センサによって入金可能な紙幣であると鑑別された紙幣とを前記紙幣回収庫内の異なる収納領域に収納することを特徴とする。
【発明の効果】
【００２５】
本発明によれば、装置前面に設けられ、投入紙幣を受け入れる第１紙幣投入口から投入された紙幣を、該第１紙幣投入口の下流に設けられた第１紙幣識別センサで鑑別し、第１紙幣鑑別センサによって入金可能な紙幣であると鑑別された紙幣を前記紙幣収納庫に収納し、装置裏面に設けられ、投入紙幣を受け入れる第２紙幣投入口から投入された紙幣を、該第２の紙幣投入口の下流に設けられた第２紙幣鑑別センサで鑑別し、第２紙幣鑑別センサによって入金可能な紙幣であると鑑別された紙幣を前記紙幣収納庫に収納するようにしている。したがって、代行収納業務において、第２紙幣投入口から、顧客自らが支払紙幣を貨幣処理機に投入（入金）できるので、機械計数により、レジ現金過不足の削減、かつ、高額現金のレジ担当者での数え直し時間の削除、及び、レジ担当者の精神的ストレスを低減することができる。また、貨幣処理装置を回転させる必要がないため、簡易な構造で実現されるとともに、装置の複雑化及び大型化を抑えることができる。
【図面の簡単な説明】
【００２６】
【図１】図１は、本発明の実施の形態である貨幣処理装置を含むＰＯＳレジスタシステムの全体構成を示す斜視図である。
【図２】図２は、図１に示した貨幣処理装置の外観構成を示す斜視図である。
【図３】図３は、図２に示した紙幣処理装置の構成を示す断面図である。
【図４】図４は、図２に示した硬貨処理装置の構成を示す平面図である。
【図５】図５は、貨幣処理装置の制御系を示すブロック図である。
【図６】図６は、図５に示した入出金制御部が繰り返し実施する入金処理及び出金処理である釣銭モード処理手順を示すフローチャートである。
【図７】図７は、本発明の実施の形態の変形例である紙幣処理装置の構成を示す断面図である。
【発明を実施するための形態】
【００２７】
以下、添付図面を参照してこの発明を実施するための形態について説明する。
【００２８】
（自動釣銭機の構造）
図１は、本発明の実施の形態である貨幣処理装置２を含むＰＯＳレジスタシステム１の全体構成を示す斜視図である。また、図２は、図１に示した貨幣処理装置２の外観構成を示す斜視図である。さらに、図３は、図２に示した紙幣処理装置１０の構成を示す断面図である。さらに、図４は、図２に示した硬貨処理装置２０の構成を示す平面図である。図１に示した貨幣処理装置２は、スーパーマーケットやコンビニエンスストア等の店舗においてＰＯＳレジスタ装置３に接続される自動釣銭機として用いられるものである。図１に示すように、ＰＯＳレジスタシステム１は、レジカウンタＣの台上に配置され、貨幣処理装置２の上部にＰＯＳレジスタ装置３が配置される。ＰＯＳレジスタ装置３は、レジ担当者側Ａに向いて表示され、レジ担当者が操作可能な操作表示部３ａと、顧客側Ｂに向いて表示され、顧客が操作可能な操作表示部３ｂとを有する。貨幣処理装置２は、紙幣の入出金を行う紙幣処理装置１０と、硬貨の入出金を行う硬貨処理装置２０とが並列配置される。
【００２９】
図２に示すように、紙幣処理装置１０は、直方体状をなす装置本体の前面のレジ担当者側Ａに設けられ、紙幣を入金する第１紙幣投入口１１と、レジ担当者側Ａに設けられ、釣銭としての紙幣を払い出す紙幣出金口１２と、レジ担当者側Ａに設けられ、釣銭として利用されない高額紙幣などが収納される紙幣回収庫１３とを有する。さらに、紙幣処理装置１０は、裏面の顧客側Ｂに設けられ、紙幣を入金する第２紙幣投入口１４を有する。
【００３０】
一方、硬貨処理装置２０は、直方体状を成す装置本体の前端（レジ担当者側Ａ）上面の右側に設けられた硬貨投入口２１と、装置本体の前端上面の左側に設けられた表示部２２及び操作部２３と、装置本体の前面左側に設けられた硬貨出金口２５と、硬貨出金口２５から排出された受け皿２４と、装置本体の前面右側に設けられた硬貨返却口２６とを有する。
【００３１】
（紙幣処理装置の構成）
図３において、第１紙幣投入口１１の近傍には、第１紙幣投入口１１から第１シャッタ機構３１、第１紙幣投入センサ３２、第１紙幣鑑別センサ３３が順次配置される。さらに、第１紙幣鑑別センサ３３の先に紙幣受入口３４が配置される。紙幣受入口３４の先であって、装置中央には、紙幣を収納する紙幣収納庫３５を有する。なお、紙幣収納庫３５内には、在高を精査するときに用いられる模擬紙幣５３が入っている。紙幣収納庫３５の下部には、積載収納された紙幣を下から一枚ずつ分離して紙幣払出口３７に繰り出す繰出部３６が設けられる。紙幣払出口３７の下流には、出金切換口３８までの間に第２紙幣鑑別センサ３９が設けられる。紙幣払出口３７は、紙幣出金口１２に接続されるとともに、紙幣切換口３８から垂直方向に配置された循環接続通路４０を介して紙幣受入口３４に接続される。一方、顧客側Ｂである裏面に設けられた第２紙幣投入口１４も、紙幣出金口１２側に接続されるとともに、循環接続通路４０を介して紙幣受入口３４に接続される。ただし、紙幣払出口３７から出力された紙幣は、第２紙幣投入口１４に出力されず、紙幣出金口１２側または紙幣受入口３４側のみに出力される。また、循環接続通路４０を通る紙幣は、紙幣投入口１１側に出力されず、紙幣受入口３４側のみに出力される。
【００３２】
ここで、第１紙幣投入口１１から紙幣受入口３４までの搬送路は、第１入金経路Ｌ１を形成する。また、第２紙幣投入口１４から紙幣払出口３７までの搬送路は、第２入金経路Ｌ２を形成する。また、出金切換口３８から紙幣出金口１２までの搬送路は、出金経路Ｌ３を形成する。また、紙幣収納庫３５、紙幣払出口３７、出金切換口３８、紙幣受入口３４を介して紙幣収納庫３５に戻る搬送路は、循環経路ＬＬを形成する。
【００３３】
第２入金経路Ｌ２では、第２紙幣投入口１４近傍に、第２シャッタ機構４３及び第２紙幣投入センサ４４が順次配置される。
【００３４】
出金切換口３８には、紙幣を紙幣出金口１２側または循環接続通路４０側に切り換える切換ゲート４５が設けられる。また、循環接続通路４０の途中には、紙幣の搬送路を紙幣回収庫１３側に切り換える切換ゲート４６を有する。
【００３５】
紙幣回収庫１３は、紙幣収納庫３５内の紙幣であって回収すべき紙幣（回収紙幣）と第２紙幣投入口１４から投入され第２紙幣鑑別センサ３９によって入金可能な紙幣であると鑑別された紙幣（第２紙幣）との収納領域を区切る仕切り機構５０を有する。仕切り機構５０は、回収受入口５１から入力される回収紙幣と第２紙幣とを異なる収納領域に収納するため、例えば、回収紙幣を収納する場合、回収紙幣を収納する収納領域Ｅ１の開口が回収受入口５１に通じるように上方に駆動し、第２紙幣を収納する場合、第２紙幣を収納する収納領域Ｅ２の開口が回収受入口５１に通じるように下方に駆動する。
【００３６】
なお、紙幣出金口１２、紙幣回収庫１３、紙幣収納庫３５、循環経路ＬＬ、第２紙幣投入口１４は、一体となって内部ユニットを構成し、この内部ユニットは、引き出し可能な状態で筐体１０ａに収められている。また、紙幣回収庫１３は、内部ユニットに対して引き出し可能、あるいは開閉可能な構造となっている。内部ユニットに対して引き出し可能な構成である場合、鍵のかかった紙幣回収庫１３をそのまま取り出して回収することになる。また、開閉可能な構造の場合、紙幣回収庫１３に対する鍵を開けることによってその場で紙幣を回収することになる。
【００３７】
（紙幣処理装置の動作）
まず、第１シャッタ機構３１が開状態となって第１紙幣投入口１１から紙幣が投入される場合、第１紙幣投入センサ３２が紙幣の投入を検出し、図示しない投入搬送モータが駆動される。搬送された紙幣は、第１紙幣鑑別センサ３３によって金種の判別及び真偽の判別が行われる。第１紙幣鑑別センサ３３が、投入された紙幣を真券であると判別できなかった場合、この紙幣は第１紙幣投入口１１に戻される。一方、第１紙幣鑑別センサ３３が、投入された紙幣を真券であると判別した場合、この紙幣を紙幣受入口３４を介して紙幣収納庫３５に積載収納する。
【００３８】
紙幣収納庫３５内の紙幣は、ＰＯＳレジスタ装置３からの出金指示があった場合、または、操作部２３からの出金指示があった場合、繰出部３６によって紙幣収納庫３５の下から１枚ずつ繰り出され、第２紙幣鑑別センサ３９によって金種判別される。第２紙幣鑑別センサ３９によって金種判別された結果が出金すべき紙幣である場合、切換ゲート４５は紙幣出金口１２側に切り換えられ、紙幣が紙幣出金口１２に導かれる。一方、第２紙幣鑑別センサ３９によって金種判別された結果が出金すべき紙幣でない場合、切換ゲート４５は循環接続通路４０側に切り換えられ、再度、紙幣収納庫３５内に収納される。そして、紙幣が紙幣出金口１２に導かれる。そして、第２紙幣鑑別センサ３９によって金種判別された結果が出金すべき紙幣となるまで、紙幣の繰り出しを繰り返す。なお、繰り出された紙幣が釣銭として塩油されない高額紙幣（回収紙幣）の場合には、切換ゲート４６を紙幣回収庫１３側に切り換えて、回収紙幣を紙幣回収庫１３内に収納する。この回収紙幣の収納の場合、仕切り機構５０は、収納領域Ｅ１の開口が回収受入口５１に通じるように上方に駆動する。
【００３９】
一方、第２シャッタ機構４３が開状態となって第２紙幣投入口１４から紙幣が投入される場合、第２紙幣投入センサ４４が紙幣の投入を検出し、図示しない投入搬送モータが駆動される。搬送された紙幣は、第２紙幣鑑別センサ３９によって金種の判別及び真偽の判別が行われる。第２紙幣鑑別センサ３９が、投入された紙幣を真券であると判別できなかった場合、この紙幣は第１紙幣投入口１４に戻される。一方、第２紙幣鑑別センサ３９が、投入された紙幣を真券であると判別した場合、この紙幣を紙幣受入口３４を介して紙幣収納庫３５に積載収納する。なお、第２紙幣鑑別センサ３９が、投入された紙幣を真券であると判別した場合、切換ゲート４６を紙幣回収庫１３側に切り換えて、第２紙幣として紙幣回収庫１３内に収納することが好ましい。この第２紙幣の収納の場合、仕切り機構５０は、収納領域Ｅ２の開口が回収受入口５１に通じるように下方に駆動する。
【００４０】
なお、在高管理を行う場合、紙幣収納庫３５内の紙幣を、循環経路ＬＬで循環させ、第２紙幣鑑別センサ３９による判別結果を用いて金種及び枚数の管理を行う。この際、模擬紙幣５３を同時に循環させることによって、紙幣収納庫３５内の紙幣がすべて循環経路ＬＬ、すなわち第２紙幣鑑別センサ３９を通過したか否を判別することができる。
【００４１】
（硬貨処理装置の概要動作）
図４において、硬貨投入口２１は、投入された硬貨を装置本体の内部に受け入れるための開口である。硬貨投入口２１は、顧客からの預り金を一時保持する一時保持部として機能する。硬貨投入口２１に投入された硬貨は、ＰＯＳレジスタ装置３などからの入金許可指令を受け、図示せぬ投入検出センサによって検出された後、入金搬送部６１によって搬送される。入金搬送部６１内に設けられた検銭部６２は、硬貨の真贋及び金種を判定する。搬送された硬貨が正貨である場合、一時保留部６３に保留される。一方、搬送された硬貨が正貨でない場合、切換ゲート６４及び硬貨出金口２５を介して受け皿２４に返却される。なお、ＰＯＳレジスタ装置３側からの返却指示があった場合、一時保留部６３に保留された硬貨は、切換ゲート６５を介して硬貨返却口２６に返却される。
【００４２】
その後、一時保留部６３に保留された硬貨は、硬貨振分部６６によって搬送される。硬貨振分部６６によって搬送される硬貨は、金種に応じて硬貨収納庫６７に収納されることになる。硬貨収納庫６７としては、１円収納庫６７ａ、５０円収納庫６７ｂ、５円収納庫６７ｃ、１００円収納庫６７ｄ、１０円収納庫６７ｅ、５００円収納庫６７ｆの６つが設けてある。そして、各硬貨収納庫６７は、投入された硬貨を金種ごとに個別に収納するようにしている。
【００４３】
その後、ＰＯＳレジスタ装置３側からの出金指令に応じた金種の硬貨が各硬貨収納庫６７から出金搬送部６８を介して搬出され、硬貨出金口２５から装置本体の外部に払い出される。なお、精査処理を行う場合には、硬貨収納庫６７毎の硬貨を出金搬送部６８を介して取り出し、切換ゲート６９及び一時保留部６３を介して再計数すればよい。
【００４４】
（貨幣処理装置の制御系）
図５は、貨幣処理装置２の制御系を示すブロック図である。図５に示すように、制御部７０には、表示部２２、操作部２３、記憶部８０、紙幣収納ユニット１０ｂ、硬貨収納ユニット２０ｂが接続される。紙幣収納ユニット１０ｂは、筐体１０ａから取り外し可能な内部ユニットである。同様に、硬貨収納ユニット２０ｂも、筐体から取り外し可能な内部ユニットである。また、制御部７０及び記憶部８０は、紙幣処理装置１０内または硬貨処理装置２０内に有する。なお、ＰＯＳレジスタ装置３は、制御部７０を介して貨幣処理装置２に接続される。また、紙幣収納ユニット１０ｂ内の紙幣搬送機構８２には、第１入金経路Ｌ１、第２入金経路Ｌ２、出金経路Ｌ３、循環経路ＬＬ、及び切換ゲート４５，４６を含む。さらに、硬貨収納ユニット２０ｂ内の硬貨搬送機構８３には、入金搬送部６１、硬貨振分部６６、出金搬送部６８、及び切換ゲート６４，６５，６９を含む。
【００４５】
制御部７０は、ＰＯＳレジスタ装置３から各種指令が与えられた場合、操作部２３を通じて指令が与えられた場合、あるいは検銭部６２，第１紙幣鑑別センサ３３，第２紙幣鑑別センサ３９から検出信号が与えられた場合、記憶部８０に格納したプログラムや初期データに基づいて、紙幣搬送機構８２、第１シャッタ機構３１、第２シャッタ機構４３、硬貨搬送機構８３の駆動制御、表示部２２の表示制御などを行うものである。制御部７０は、入出金制御部７１を有する。
【００４６】
入出金制御部７１は、ＰＯＳレジスタ装置３から入力許可指令が与えられた後に貨幣が投入された場合に、入金許可指令に従って貨幣の入金処理を行い、かつＰＯＳレジスタ装置３から出金指令が与えられた場合に、出金指令に従って貨幣の出金処理を行うものである。また、入出金制御部７１は、これらの入金処理及び出金処理を実行している間、実施した入金処理及び出金処理の内容を入出金情報８１として逐次、記憶部８０に格納する処理も行う。また、入出金制御部７１は、在高管理などを行う。
【００４７】
（釣銭モード処理）
図６は、図５に示した制御部７０の入出金制御部７１が繰り返し実施する入金処理及び出金処理である釣銭モード処理手順を示すフローチャートである。図６に示すように、入出金制御部７１は、第２シャッタ機構を閉にしておく（ステップＳ１０１）。その後、入出金制御部７１は、ＰＯＳレジスタ装置３からの入金許可指令を監視する（ステップＳ１０２）。ＰＯＳレジスタ装置３から入金許可指令が与えられなかった場合（ステップＳ１０２，Ｎｏ）、入出金制御部７１は、ステップＳ１１３に移行する。
【００４８】
一方、ＰＯＳレジスタ装置３から入金許可指令が与えられた場合（ステップＳ１０２，Ｙｅｓ）、入出金制御部７１は、貨幣処理装置２を入金許可状態に設定する（ステップＳ１０３）。その後、入出金制御部７１は、第２紙幣投入口１４からの入金であるか否かを判断する（ステップＳ１０４）。なお、このステップＳ１０４の判断は、ＰＯＳレジスタ装置３からの指示である場合である。
【００４９】
第２紙幣投入口１４からの入金である場合（ステップＳ１０４，Ｙｅｓ）には、第２シャッタ機構４３を開にし、第１シャッタ機構３１を閉にして（ステップＳ１０５）、ステップＳ１０６に移行する。一方、第２紙幣投入口１４からの入金でない場合（ステップＳ１０４，Ｎｏ）には、そのままステップＳ１０６に移行する。ステップＳ１０６では、第１紙幣投入センサ３２、第２紙幣投入センサ４４、及び図示しない貨幣投入センサを通じて、それぞれ第１紙幣投入口１１、第２紙幣投入口１４、及び硬貨投入口２１に対する入金を監視する。
【００５０】
その後、第１紙幣投入口１１、第２紙幣投入口１４、または硬貨投入口２１からの入金を確認した場合（ステップＳ１０６，Ｙｅｓ）、入出金制御部７１は、それぞれ第１紙幣鑑別センサ３３、第２紙幣鑑別センサ３９、または検銭部６２を介して投入された貨幣の鑑別を行い、該鑑別結果に従って、紙幣収納庫３５または対応する硬貨収納庫６７に貨幣を搬送する処理を行う（ステップＳ１０７）。なお、入金を検出しなかった場合（ステップＳ１０６，Ｎｏ）、入出金制御部７１は、そのままステップＳ１０８に移行する。
【００５１】
その後、入出金制御部７１は、ＰＯＳレジスタ装置３からの入金額要求があるか否かを監視し（ステップＳ１０８）、入金額要求があった場合（ステップＳ１０８，Ｙｅｓ）、現在の入金額に関する情報をＰＯＳレジスタ装置３に送信する処理を行う（ステップＳ１０９）。ここで、第２紙幣投入口１４からの紙幣の投入があった場合、その入金に関する情報を、レジ担当者側Ａに向いた操作表示部３ａに表示するとともに、顧客側Ｂに向いた操作表示部３ｂにも表示する。なお、操作表示部３ｂには、表示された入金に関する情報を確認するか確認ボタンを表示し、顧客による確認ボタンの押下によって入金に関する情報を確認させることが好ましい。一方、入金額要求がなかった場合（ステップＳ１０８，Ｎｏ）、入出金制御部７１は、そのままステップＳ１１０に移行する。ステップＳ１１０では、ステップＳ１０５で第２シャッタ機構４３を開にした場合、第２シャッタ機構４３を閉にし、第１シャッタ機構３１を開にする制御を行う。
【００５２】
その後、入出金制御部７１は、ＰＯＳレジスタ装置３から入金終了指令があったか否かを判断し（ステップＳ１１１）、入金終了指令がなかった場合（ステップＳ１１１，Ｎｏ）、手順をステップＳ１０４に移行して上述したステップＳ１０４〜Ｓ１１０の処理を繰り返す。
【００５３】
一方、ＰＯＳレジスタ装置３から入金終了指令があった場合（ステップＳ１１１，Ｙｅｓ）、入出金制御部７１は、貨幣処理装置２を入金禁止状態に設定し（ステップＳ１１２）、その後、ＰＯＳレジスタ装置３から出金指令があるか否かを監視する（ステップＳ１１３）。
【００５４】
ＰＯＳレジスタ装置３から出金指令が与えられた場合（ステップＳ１１３，Ｙｅｓ）、入出金制御部７１は、紙幣収納庫３５や硬貨収納庫６７に収納された貨幣を釣銭として紙幣出金口１２または硬貨出金口２５から払い出す処理を実施し（ステップＳ１１４）、今回の釣銭モード処理を終了する。なお、ＰＯＳレジスタ装置３から出金指令が与えられなかった場合（ステップＳ１１３，Ｎｏ）、入出金制御部７１は、そのまま今回の釣銭モード処理を終了する。
【００５５】
上述した状況は、例えば、ＰＯＳレジスタ装置３において操作者（レジ担当者）による購入商品の登録が終了し、その合計金額以上の貨幣を商品購入者（顧客）が直接、あるいは顧客から預かったレジ担当者がこれを貨幣処理装置２に投入した場面であり、購入商品の登録が終了した後にＰＯＳレジスタ装置３から貨幣処理装置２の制御部７０に対して入金許可指令が与えられる。一方、貨幣が投入された貨幣処理装置２からＰＯＳレジスタ装置３に入金額情報が送信されると、ＰＯＳレジスタ装置３において（釣銭）＝（入金額）−（購入合計金額）が算出され、釣銭がある場合には釣銭に対応した出金指令が入金終了指令の後に貨幣処理装置２に出力される。出金指令が与えられた貨幣処理装置２では、釣銭に相当する貨幣が紙幣出金口１２もしくは硬貨出金口２５から払い出され、ＰＯＳレジスタ装置３から出力されたレシートとともにこの釣銭が商品購入者に手渡される。
【００５６】
以降、上述した釣銭モード処理が繰り返し実施され、貨幣処理装置２が自動釣銭機として機能することになる。この間、貨幣処理装置２においては、入出金制御部７１により、実施した入金処理及び出金処理の内容が入出金情報８１として逐次、記憶部８０に格納する処理が行われる。
【００５７】
上述した貨幣処理装置２では、代行収納業務の支払い時に、顧客自らが支払紙幣を貨幣処理装置の第２紙幣投入口１４から投入（入金）して機械計数するため、現金過不足の削減、かつ、高額現金のレジ担当者での数え直し時間の削除、及び、レジ担当者の精神的ストレスの低減を図ることができる。また、貨幣処理装置２を回転する必要もないので、装置構成が簡易となり、装置の複雑化や大型化を避けることができる。
【００５８】
ここで、第１シャッタ機構３１，第２シャッタ機構４３を設け、第１紙幣投入口１１からの入金処理と第２紙幣投入口１４からの入金処理とが同時に行われないように排他制御を行うとともに、第１紙幣投入口１１からの入金処理を優先して処理している。
【００５９】
この第１シャッタ機構３１，第２シャッタ機構４３を設けずに、入出金制御部７１が、第１紙幣投入口１１からの入金処理と第２紙幣投入口１４からの入金処理とが同時に行われないように排他制御を行うようにしてもよい。この場合、ステップＳ１０４で第２紙幣投入口１４からの入金がある場合、第１紙幣投入口１１からの入金を受け付けず、第２紙幣投入口１４からの入金のみを受け付けるように搬送制御すればよい。
【００６０】
なお、入出金制御部７１は、第１紙幣投入センサ３２の検出が第２紙幣投入センサ４４の検出よりも早い場合、第１紙幣投入口１１から投入された紙幣の入金処理を行い、第２紙幣投入センサ４４の検出が第１紙幣投入センサ３２の検出よりも早い場合、第２紙幣投入口１４から投入された紙幣の入金処理を行うようにしてもよい。この場合も、第１紙幣投入口１１からの入金処理と第２紙幣投入口からの入金処理とは排他的に行う。
【００６１】
また、上述した実施の形態では、紙幣投入口としては、第１紙幣投入口１１、第２紙幣投入口１４、硬貨投入口２１の３つであり、貨幣出金口としては、紙幣出金口１２と硬貨出金口２５との２つであり、第２紙幣投入口１４のみが顧客側に向けられている。
【００６２】
さらに、レジ担当者が貨幣処理装置２を動作させていない場合、第２紙幣投入口１４を第２シャッタ機構４３で閉鎖しておくことが好ましい。なお、上述したように、代行収納業務の支払いなどの高額入金時のみ、ＰＯＳレジスタ装置３を介したレジ担当者の要求によって、第２シャッタ機構４３を開にし、あるいは第２紙幣投入口１４からの入金搬送を停止する制御を行っている。
【００６３】
ところで、上述した実施の形態では、１つの紙幣収納庫３５のみを有していたが、これに限らず、金種ごとの複数の紙幣収納庫をもつ構成としてもよい。この場合、循環接続通路４０を共通とした循環経路ＬＬを並列して配置すればよい。なお、１つの紙幣収納庫に複数金種の収納を可能にした混合紙幣収納庫としてもよい。ただし、釣銭として用いられる１０００円収納庫は、１つの紙幣収納庫とすることが好ましい。なお、図３に示した紙幣処理装置１０では、紙幣収納庫３５に１０００円紙幣のみが収納されるようにし、その他の高額紙幣は、紙幣回収庫１３に収納することが好ましい。
【００６４】
（変形例）
なお、上述した実施の形態では、循環経路ＬＬを有した紙幣処理装置１０であったが、これに限らない。例えば、図７に示す紙幣処理装置１０としてもよい。図７では、図３と同様に、第１紙幣投入口１１、紙幣出金口１２、及び紙幣回収庫１３がレジ担当者側Ａに設けられている。そして、第１紙幣投入口１１の近傍には、第１紙幣投入口１１側から順次、第１シャッタ機構３１、第１紙幣投入センサ３２及び第１紙幣鑑別センサ３３が設けられている。一方、顧客側Ｂには、第２紙幣投入口１４が設けられ、その近傍には第２紙幣投入口１４から順次、第２シャッタ機構４３、第２紙幣投入センサ４４、第２紙幣鑑別センサ３９が設けられている。
【００６５】
しかし、図３に示した循環経路ＬＬは、形成されておらず、直線的な搬送経路９０を共有している。また、収納庫としては、図３と同様な紙幣回収庫１３を設けているが、図７に示した紙幣処理装置１０では、精査庫３５ａ、１０００円収納庫３５ｂ、及び混合収納庫３５ｃの３つの収納庫を有した紙幣収納庫３５としている。１０００円収納庫３５ｂは、１０００円紙幣を収納し、混合収納庫３５ｃは、２０００円紙幣、５０００円紙幣、１００００円紙幣を収納する。精査庫３５ａは、１０００円収納庫３５ｂ及び混合収納庫３５ｃに収納された紙幣を精査する際の一時保留庫として用いる。
【００６６】
第１紙幣投入口１１から入金された紙幣は、第１紙幣鑑別センサ３３によって金種及び真贋が判別された後、真券の金種に対応して１０００円収納庫３５ｂ及び混合収納庫３５ｃに収納される。一方、第２紙幣投入口１４から入金された紙幣は、第２紙幣鑑別センサ３９によって金種及び真贋が判別された後、真券の金種に対応して１０００円収納庫３５ｂ及び混合収納庫３５ｃに収納される。なお、第２紙幣投入口１４から入金された紙幣は、高額紙幣であり、釣銭として用いられることがないため、混合収納庫３５ｃでなく、すべて紙幣回収庫１３に収納するようにしてもよい。もちろん、一端、混合収納庫３５ｃに収納した後、紙幣回収庫１３に収納するようにしてもよい。
【００６７】
出金処理の場合、例えば、１０００円収納庫３５ｂに収納された１０００円紙幣は、搬送経路９０及び第１紙幣鑑別センサ３３を介し、紙幣出金口１２から出金される。すなわち、図３に示した紙幣処理装置１０と異なり、出金時の紙幣鑑別センサは、第２紙幣鑑別センサ３９ではなく、第１紙幣鑑別センサ３３が機能を担当する。なお、図７に示した変形例において、第２紙幣鑑別センサ３９を設けず、第２紙幣鑑別センサ３９の機能を第１紙幣鑑別センサが担当するようにしてもよい。この場合、第２紙幣投入口から第１紙幣鑑別センサ３３までの距離は、長くなる。
【符号の説明】
【００６８】
１  レジスタシステム
２  貨幣処理装置
３  ＰＯＳレジスタ装置
３ａ，３ｂ  操作表示部
１０  紙幣処理装置
１０ａ  筐体
１０ｂ  紙幣収納ユニット
１１  第１紙幣投入口
１２  紙幣出金口
１３  紙幣回収庫
１４  第２紙幣投入口
２０  硬貨処理装置
２０ｂ  硬貨収納ユニット
２１  硬貨投入口
２２  表示部
２３  操作部
２５  硬貨出金口
２６  硬貨返却口
３１  第１シャッタ機構
３２  第１紙幣投入センサ
３３  第１紙幣鑑別センサ
３４  紙幣受入口
３５ｂ  １０００円収納庫
３５ｃ  混合収納庫
３５  紙幣収納庫
３５ａ  精査庫
３６  繰出部
３７  紙幣払出口
３８  出金切換口
３９  第２紙幣鑑別センサ
４０  循環接続通路
４３  第２シャッタ機構
４４  第２紙幣投入センサ
４５，４６，６４，６５，６９  切換ゲート
５０  仕切り機構
５１  回収受入口
５３  模擬紙幣
６１  入金搬送部
６２  検銭部
６３  一時保留部
６６  硬貨振分部
６７  硬貨収納庫
６８  出金搬送部
７０  制御部
７１  入出金制御部
８０  記憶部
８１  入出金情報
８２  紙幣搬送機構
８３  硬貨搬送機構
９０  搬送経路
Ａ  レジ担当者側
Ｂ  顧客側
Ｃ  レジカウンタ
Ｅ１，Ｅ２  収納領域
Ｌ１，Ｌ２  入金経路
Ｌ３  出金経路
ＬＬ  循環経路
【図１】
0006471449.tif 000002
【図２】
0006471449.tif 000003
【図３】
0006471449.tif 000004
【図４】
0006471449.tif 000005
【図５】
0006471449.tif 000006
【図６】
0006471449.tif 000007
【図７】
0006471449.tif 000008